【手続補正書】
【提出日】平成16年10月8日(2004.10.8)
【手続補正１】
【補正対象書類名】明細書
【補正対象項目名】発明の名称
【補正方法】変更
【補正の内容】
【発明の名称】情報伝送システム及び方法、情報送信装置及び方法、並びに情報受信装置及び方法
【手続補正２】
【補正対象書類名】明細書
【補正対象項目名】特許請求の範囲
【補正方法】変更
【補正の内容】
【特許請求の範囲】
【請求項１】
情報送信装置が通信ネットワークを介して任意のデジタルコンテンツを情報受信装置に伝送する情報伝送システムであって、
上記情報送信装置は、
上記デジタルコンテンツの符号化データを記録する記録手段と、
上記符号化データのフレームを優先度を付して階層データに階層化するとともに送信すべき階層データを選択する階層化手段と、
上記階層データを上記情報受信装置に送信するとともに、受信状況を示すステータス情報を当該情報受信装置から受信する通信手段と、
上記フレームの送信を完了すべき制限時間を計時する計時手段とを備え、
上記情報受信装置は、
上記階層データを上記情報送信装置から受信するとともに、上記ステータス情報を当該情報送信装置に送信する通信手段と、
受信した上記階層データを多重化して上記フレームを構成する多重化手段と、
上記フレームを復号化して再生する再生手段と、
上記フレームの再生を完了すべき制限時間を計時する計時手段とを備えること
を特徴とする情報伝送システム。
【請求項２】
情報送信装置が通信ネットワークを介して任意のデジタルコンテンツを情報受信装置に伝送する情報伝送方法であって、
上記情報送信装置は、上記デジタルコンテンツの符号化データのフレームを優先度を付して階層データに階層化し、上記優先度と上記情報受信装置における受信状況を示すステータス情報とに基づいて、送信すべき階層データを選択して当該階層データを上記情報受信装置に送信し、
上記情報受信装置は、上記階層データを上記情報送信装置から受信するとともに、上記ステータス情報を当該情報送信装置に送信し、受信した上記階層データを多重化して上記フレームを構成し、上記フレームを復号化して再生すること
を特徴とする情報伝送方法。
【請求項３】
上記情報送信装置は、上記フレームの送信を完了すべき制限時間を計時し、上記情報受信装置は、上記フレームの再生を完了すべき制限時間を計時することを特徴とする請求項２記載の情報伝送方法。
【請求項４】
上記情報送信装置は、上記ステータス情報に基づいて、上記情報受信装置が受信していない上記階層データのうち、上記制限時間までの残余時間内で送信できる最も優先度の高い階層データを選択することを特徴とする請求項３記載の情報伝送方法。
【請求項５】
上記ステータス情報は、受信の成否を示すことを特徴とする請求項２記載の情報伝送方法。
【請求項６】
上記符号化データは、周波数変換符号化が施されたものであり、
上記情報送信装置は、より低い周波数成分の符号化データをより高い優先度の階層データとして階層化すること
を特徴とする請求項２記載の情報伝送方法。
【請求項７】
上記情報送信装置は、最も優先度の高い階層化データとして、上記周波数変換符号化における正規化係数情報及び／又は量子化精度情報を含めることを特徴とする請求項６記載の情報伝送方法。
【請求項８】
上記制限時間は、リアルタイム伝送のための時間間隔であることを特徴とする請求項３記載の情報伝送方法。
【請求項９】
通信ネットワークを介して任意のデジタルコンテンツを情報受信装置に対して伝送する情報送信装置であって、
上記デジタルコンテンツの符号化データを記録する記録手段と、
上記符号化データのフレームを優先度を付して階層データに階層化するとともに送信すべき階層データを選択する階層化手段と、
上記階層データを上記情報受信装置に送信するとともに、受信状況を示すステータス情報を当該情報受信装置から受信する通信手段と、
上記フレームの送信を完了すべき制限時間を計時する計時手段と
を備えることを特徴とする情報送信装置。
【請求項１０】
上記階層化手段は、上記ステータス情報に基づいて、上記情報受信装置が受信していない上記階層データのうち、上記制限時間までの残余時間内で送信できる最も優先度の高い階層データを選択することを特徴とする請求項９記載の情報送信装置。
【請求項１１】
上記ステータス情報は、受信の成否を示すことを特徴とする請求項９記載の情報送信装置。
【請求項１２】
上記符号化データは、周波数変換符号化が施されたものであり、
上記階層化手段は、より低い周波数成分の符号化データをより高い優先度の階層データとして階層化すること
を特徴とする請求項９記載の情報送信装置。
【請求項１３】
上記階層化手段は、最も優先度の高い階層化データとして、上記周波数変換符号化における正規化係数情報及び／又は量子化精度情報を含めることを特徴とする請求項１２記載の情報送信装置。
【請求項１４】
上記制限時間は、リアルタイム伝送のための時間間隔であることを特徴とする請求項９記載の情報送信装置。
【請求項１５】
通信ネットワークを介して任意のデジタルコンテンツを情報受信装置に対して送信する情報送信方法であって、
記録手段に記録された上記デジタルコンテンツの符号化データのフレームに優先度を付して階層データに階層化する階層化工程と、
上記優先度と上記情報受信装置における受信状況を示すステータス情報とに基づいて、送信すべき階層データを選択する階層データ選択工程と、
選択された上記階層データを上記情報受信装置に送信する階層データ送信工程と
を有することを特徴とする情報送信方法。
【請求項１６】
通信ネットワークを介して任意のデジタルコンテンツを情報送信装置から受信する情報受信装置であって、
上記デジタルコンテンツの符号化データのフレームを優先度を付して階層化した階層データを上記情報送信装置から受信するとともに、受信状況を示すステータス情報を当該情報送信装置に送信する通信手段と、
受信した上記階層データを多重化して上記フレームを構成する多重化手段と、
上記フレームを復号化して再生する再生手段と、
上記フレームの再生を完了すべき制限時間を計時する計時手段と
を備えることを特徴とする情報受信装置。
【請求項１７】
上記ステータス情報は、受信の成否を示すことを特徴とする請求項１６記載の情報受信装置。
【請求項１８】
上記符号化データは、周波数変換符号化が施されたものであり、より低い周波数成分の符号化データがより高い優先度の階層データとして階層化されていることを特徴とする請求項１６記載の情報受信装置。
【請求項１９】
最も優先度の高い階層化データとして、上記周波数変換符号化における正規化係数情報及び／又は量子化精度情報を含むことを特徴とする請求項１８記載の情報受信装置。
【請求項２０】
上記制限時間は、リアルタイム伝送のための時間間隔であることを特徴とする請求項１６記載の情報受信装置。
【請求項２１】
通信ネットワークを介して任意のデジタルコンテンツを情報送信装置から受信する情報受信方法であって、
上記階層データを上記情報送信装置から受信する階層データ受信工程と、
受信状況を示すステータス情報を当該情報送信装置に送信するステータス情報送信工程と、
受信した上記階層データを多重化して上記フレームを構成する多重化工程と、
上記フレームを復号化して再生する再生工程と
を有することを特徴とする情報受信方法。
【手続補正３】
【補正対象書類名】明細書
【補正対象項目名】０００１
【補正方法】変更
【補正の内容】
【０００１】
【発明の属する技術分野】
本発明は、オーディオや画像等のマルチメディアデータを含んだ様々なデジタルコンテンツをリアルタイム伝送する情報伝送システム及びその方法、情報送信装置及びその方法、並びに情報受信装置及びその方法に関する。
【手続補正４】
【補正対象書類名】明細書
【補正対象項目名】００１０
【補正方法】変更
【補正の内容】
【００１０】
本発明は、このような従来の実情に鑑みて提案されたものであり、再生品質に大きく影響する情報をより確実に伝送するとともに、通信帯域を最大限に利用しながら情報をリアルタイム伝送する情報伝送システム及びその方法、情報送信装置及びその方法、並びに情報受信装置及びその方法を提供することを目的とする。
【手続補正５】
【補正対象書類名】明細書
【補正対象項目名】００１２
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】０１０３
【補正方法】削除
【補正の内容】
【手続補正１７】
【補正対象書類名】明細書
【補正対象項目名】０１１５
【補正方法】削除
【補正の内容】
【手続補正１８】
【補正対象書類名】明細書
【補正対象項目名】０１１６
【補正方法】削除
【補正の内容】
【手続補正１９】
【補正対象書類名】明細書
【補正対象項目名】０１１９
【補正方法】削除
【補正の内容】
【手続補正２０】
【補正対象書類名】明細書
【補正対象項目名】０１２０
【補正方法】削除
【補正の内容】
【手続補正２１】
【補正対象書類名】明細書
【補正対象項目名】０１２１
【補正方法】削除
【補正の内容】
【手続補正２２】
【補正対象書類名】明細書
【補正対象項目名】０１２２
【補正方法】削除
【補正の内容】
【手続補正２３】
【補正対象書類名】明細書
【補正対象項目名】０１２３
【補正方法】削除
【補正の内容】
【手続補正２４】
【補正対象書類名】明細書
【補正対象項目名】０１２８
【補正方法】削除
【補正の内容】
【手続補正２５】
【補正対象書類名】明細書
【補正対象項目名】０１３１
【補正方法】削除
【補正の内容】
【手続補正２６】
【補正対象書類名】明細書
【補正対象項目名】０１３２
【補正方法】削除
【補正の内容】
【手続補正２７】
【補正対象書類名】明細書
【補正対象項目名】０１３３
【補正方法】削除
【補正の内容】
【手続補正２８】
【補正対象書類名】明細書
【補正対象項目名】０１３４
【補正方法】削除
【補正の内容】